(57)【要約】【課題】同軸照明光或いは偏斜照明光のみならず同軸照明光と偏斜照明光とを同時に行うことができる落射照明装置を提供すること。【解決手段】顕微鏡１００の対物レンズに装着して標本を照明する落射照明装置９において、前記対物レンズの光軸上に設置され、前記光軸に対して傾斜して配置されたミラー２５と、前記ミラーを介して前記光軸に沿って前記標本に照明光を照射する同軸照明用光源２２、２３と、前記標本に偏斜照明光を照射する少なくとも１つの偏斜照明用光源２４と、を有する落射照明装置９。【選択図】図１
2009116030.tif 000002
【特許請求の範囲】
【請求項１】
顕微鏡の対物レンズに装着して標本を照明する落射照明装置において、
前記対物レンズの光軸上に設置され、前記光軸に対して傾斜して配置されたミラーと、
前記ミラーを介して前記光軸に沿って前記標本に同軸照明光を照射する同軸照明用光源と、
前記標本に偏斜照明光を照射する少なくとも１つの偏斜照明用光源と、
を有することを特徴とする落射照明装置。
【請求項２】
前記同軸照明用光源と前記偏斜照明用光源を制御する制御部を、有することを特徴とする請求項１に記載の落射照明装置。
【請求項３】
前記偏斜照明用光源は、前記実体顕微鏡の中心軸を中心とする仮想円の円周上に配置されることを特徴とする請求項１又は２に記載の落射照明装置。
【請求項４】
前記同軸照明用光源は２つ設置され、前記偏斜照明用光源は、前記同軸照明用光源の左右の光路の間に配置されていることを特徴とする請求項１から３のいずれか１項に記載の落射照明装置。
【請求項５】
前記偏斜照明用光源は、前記ミラーを前記実体顕微鏡の中心軸に投影した投影長の範囲内に配置されていることを特徴とする請求項１から４のいずれか１項に記載の落射照明装置。
【請求項６】
前記同軸照明用光源と前記偏斜照明用光源は、半導体発光素子を含むことを特徴とする請求項１から５のいずれか１項に記載の落射照明装置。
【請求項７】
前記同軸照明用光源と前記偏斜照明用光源は、共通の基板上に配置されていることを特徴とする請求項１から６のいずれか１項に記載の落射照明装置。
【請求項８】
請求項１から７のいずれか１項に記載の落射照明装置を有することを特徴とする実体顕微鏡。
【発明の詳細な説明】
【技術分野】
【０００１】
本発明は、実体顕微鏡の対物レンズに装着して標本を照明する落射照明装置と、これを有する実体顕微鏡に関する。
【背景技術】
【０００２】
従来、実体顕微鏡において標本を照明する際、対物レンズの光軸に沿って照明する左右それぞれの同軸照明光と、標本を斜め上方から照明する偏斜照明光とを適時切替えて使用する落射照明装置が提案されている（例えば、特許文献１参照）。
【特許文献１】特開２００４−３６１５８２号公報
【発明の開示】
【発明が解決しようとする課題】
【０００３】
従来の落射照明装置は、左右それぞれの同軸照明用光源からの光を、同軸用照明と偏斜照明とにミラー等の部材により切替えて標本を照明するため、標本に対して同軸照明と偏斜照明とを同時に行うことができないと言う問題があり、種々の照明に対応可能な落射照明装置が望まれている。
【課題を解決するための手段】
【０００４】
上記課題を解決するため、本発明は、顕微鏡の対物レンズに装着して標本を照明する落射照明装置において、前記対物レンズの光軸上に設置され、前記光軸に対して傾斜して配置されたミラーと、前記ミラーを介して前記光軸に沿って前記標本に照明光を照射する同軸照明用光源と、前記標本に偏斜照明光を照射する少なくとも１つの偏斜照明用光源と、を有することを特徴とする落射照明装置を提供する。
【０００５】
また、本発明は、前記落射照明装置を有することを特徴とする実体顕微鏡を提供する。
【発明の効果】
【０００６】
本発明によれば、標本に対して同軸照明或いは偏斜照明のみならず同軸照明と偏斜照明とを同時に行うことができる落射照明装置と、これを有する実体顕微鏡を提供することができる。
【発明を実施するための最良の形態】
【０００７】
次に、本発明の実施の形態にかかる落射照明装置と、これを有する実体顕微鏡について図面を参照しつつ説明する。
【０００８】
図１は、実体顕微鏡の概略構成図である。図１において、ステージ１上には、標本２が載置される。このステージ１上には、架台３が立設している。この架台３には、顕微鏡鏡体４が支持アーム５を介して上下移動可能に設けられている。支持アーム５の上下移動は、焦準ハンドル６の操作により行なわれる。また顕微鏡鏡体４の下部には、対物レンズ７が取り付けられると共に、上部に接眼レンズ８が取り付けられている。このようにして実体顕微鏡１００が構成されている。
【０００９】
また対物レンズ７の先端部には、落射照明装置９が取り付けられている。落射照明装置９には、後述する左右の同軸照明用光源と偏斜照明用光源に電力を供給するケーブル１０が接続されている。またケーブル１０は同軸照明用光源と偏斜照明用光源をそれぞれ制御する光源制御部１１に接続されている。光源制御部１１は、同軸照明用光源のＯＮ／ＯＦＦスイッチ１１ａと同軸照明用光源の光量調節ダイアル１１ｂ、偏斜照明用光源ＯＮ／ＯＦＦスイッチ１１ｃと偏斜照明用光源の光量調節ダイアル１１ｄを有している。なお、各スイッチと光量調節ダイアルは、光源の数だけ配置されている。
【００１０】
図２は、図１の落射照明装置９を、標本２側から見た一部透視図である。図３は、図２のＡ−Ａ線に沿った断面図を示す。図４は、図２のＢ−Ｂ線に沿った断面図を示す。
【００１１】
図２に示す落射照明装置９は、筐体２１に、左右の同軸照明用光源２２、２３と偏斜照明用光源２４と、同軸照明用光源２２、２３からの光を、対物レンズ７の左右の光軸７Ｌ、７Ｒに沿って標本２に照射するためのミラー２５が内蔵されている。なお、ミラー２５はハーフミラーである。また、筐体２１の底板には、同軸照明用の孔７ａ、７ｂと、偏斜照明用の孔２６が設けられている。なお、実体顕微鏡の場合、対物レンズは左右一対の２枚構成とするか、又は左右の光路を共に入射可能な１枚構成とすることができる。
【００１２】
図３は、同軸照明の場合を示している。同軸照明用光源２２、２３からのそれぞれの光は、左右それぞれに設けられたコレクタレンズ２７Ｌ、２７Ｒを介してミラー２５に入射し、対物レンズ７の左右の光軸７Ｌ，７Ｒに沿って反射され標本２に照射される。標本２からの光は、左右の光軸７Ｌ，７Ｒに沿ってミラー２５に入射、透過して対物レンズ７に入射し、接眼レンズ８を介して標本像が観察される。
【００１３】
図４は、偏斜照明の場合を示している。偏斜照明用光源２４からの光は、筐体２１の底板に設けられた孔２６から標本に向けて出射し標本を照明する。また偏斜照明用光源２４は、図２に示すように、実体顕微鏡１００の中心軸Ｏを中心とする仮想円の円周上に配置されている。なお、偏斜照明用光源２４は、同軸照明用光源２２、２３の間に配置されていることが望ましい。このように配置することで、落射照明装置９を小型化することができる。
【００１４】
また、実施の形態にかかる落射照明装置９では、同軸照明用光源２２、２３と偏斜照明用光源２４が個別に配置されているため、同軸照明光と偏斜照明光とを同時に標本２に照射することができると共に、光源制御部１１で照度を調節することができる。
【００１５】
なお、偏斜照明用光源２４は、ミラー２５の全長を実体顕微鏡１００の中心軸Ｏに投影した投影長の範囲内に設置することが望ましい。このように配置することで、落射照明装置９の小型化を達成することができる。
【００１６】
また、偏斜照明用光源２４の実体顕微鏡１００の中心軸Ｏに対して対向する位置に別の偏斜照明用光源を配置しても良い。このように対向する位置に偏斜照明用光源を配置することで標本２をより均一に照明することができる。
【００１７】
また、偏斜照明用光源２４を、中心軸Ｏを中心とする円周上に複数個配置しても良い。このように円周上に複数の光源を配置することで、複数の方向からの偏斜照明が可能になる。この場合、光源制御部１１に複数のスイッチを配置して、偏斜照明用光源を選択できるように構成する。
【００１８】
また、偏斜照明用光源２４を、中心軸Ｏを中心とする仮想円の円周上にリング状に配置しても良い。このようにリング状の光源を配置することで、標本に無影照明が可能になる。
【００１９】
また、同軸照明用光源２２、２３、及び偏斜照明用光源２４は、例えばＬＥＤ等の半導体発光素子を用いても良い。半導体発光素子を用いることで、光源からの発熱を抑えることができ、標本２への熱の影響を防止することができる。また、筐体２１が熱くなることを防止することができる。
【００２０】
また、同軸照明光源２２、２３と反射照明用光源２４を、同一の基板に配置しても良い。このように同一の基板に配置することで、落射照明装置９を小型化できる。
【００２１】
また、同軸照明用光源を１つにして、光路分割素子で左右の光軸に分割しても良い。これにより小型で安価な落射照明装置９を達成することができる。
【００２２】
以上述べたように、実施の形態にかかる落射照明装置と、これを有する実体顕微鏡によれば、標本に対して同軸照明光と偏斜照明光とを同時に照射し、最も観察しやすい標本照明光を達成することができる。また、光源に半導体発光素子を用いることにより、小型、安価、及び発熱の少ない落射照明装置を提供することができる。また、実体顕微鏡の中心軸を中心とする仮想円の円周上に複数の偏斜照明用光源を配置し、光源を選択可能な光源制御部を有することで、標本への最適な偏斜照明光を選択して照明することが可能になる。
【００２３】
なお、上述の実施の形態は例に過ぎず、上述の構成や形状に限定されるものではなく、本発明の範囲内において適宜修正、変更が可能である。
【図面の簡単な説明】
【００２４】
【図１】実体顕微鏡の概略構成図である。
【図２】落射照明装置を、標本側から見た一部透視図である。
【図３】図２のＡ−Ａ線に沿った断面図を示す。
【図４】図２のＢ−Ｂ線に沿った断面図を示す。
【符号の説明】
【００２５】
１    ステージ
２    標本
３    架台
４    顕微鏡鏡体
５    支持アーム
６    焦準ハンドル
７    対物レンズ
８    接眼レンズ
９    落射照明装置
１０  ケーブル
１１  光源制御部
２１  筐体
２２、２３  同軸照明用光源
２４  偏斜照明用光源
２５  ハーフミラー
２６  孔
２７  コレクタレンズ
１００  実体顕微鏡
【図１】
2009116030.tif 000003
【図２】
2009116030.tif 000004
【図３】
2009116030.tif 000005
【図４】
2009116030.tif 000006